(57)【要約】【課題】キー局からローカル局に配信された複数の番組宣伝素材からローカル局がオンエアする番組宣伝素材を、オンエア時に自動的に送出できるようにすることを目的とする。【解決手段】各番組宣伝素材の素材開始点情報も配信することにより、複数の番組宣伝素材を、配信された各番組宣伝素材の素材開始点情報に基づいて自動的に検尺し、この検尺で確定した各番組宣伝素材の素材開始点と素材長、または前記素材開始点と素材終了点に基づいて、複数の番組宣伝素材から抽出されたオンエアする番組宣伝素材を、オンエア時に送出する。【選択図】図１
2007124069.tif 000002
【特許請求の範囲】
【請求項１】
少なくとも複数の番組宣伝素材をビデオサーバに登録し、送出スケジュール情報に基づいて前記登録された複数の番組宣伝素材からオンエアする番組宣伝素材を抽出して送出する放送番組送出装置の番組宣伝素材送出方法において、
各番組宣伝素材の素材開始点情報が配信され、前記登録された複数の番組宣伝素材を、前記各番組宣伝素材の素材開始点情報に基づいて検尺し、該検尺で確定した前記各番組宣伝素材の素材開始点と素材長、または前記素材開始点と素材終了点に基づいて、前記複数の番組宣伝素材からオンエアする番組宣伝素材を抽出し、該抽出した番組宣伝素材を送出することを特徴とする番組宣伝素材送出方法。
【請求項２】
請求項１記載の番組宣伝素材送出方法において、
前記複数の番組宣伝素材の検尺後、前記送出スケジュール情報に基づく番組宣伝素材を抽出して送出する前に、前記ビデオサーバに接続された事前プレビュー端末から所定の番組宣伝素材に関連する放送素材の事前プレビュー要求があった場合で前記ビデオサーバに前記放送素材が登録されているときのみ前記放送素材の再生画像を前記プレビュー端末に表示し、前記放送素材の登録有無を前記事前プレビュー端末で確認することを特徴とする番組宣伝素材送出方法。
【請求項３】
請求項１乃至請求項２記載の番組宣伝素材送出方法において、
前記ビデオサーバに登録された各々の番組宣伝素材がオンエアする番組宣伝素材であるか否かを、前記各々の番組宣伝素材に関する送出スケジュールの有無に基づいて判定し、前記登録された複数の番組宣伝素材を検尺する際、オンエアすると判定した番組宣伝素材の素材開始点に基づいて検尺することを特徴とする番組宣伝素材送出方法。
【発明の詳細な説明】
【技術分野】
【０００１】
本発明は、放送番組送出装置に配信された複数の番組宣伝素材（以下、番宣素材と称する）から送出する番宣素材を抽出することに関するものである。
【背景技術】
【０００２】
放送番組送出装置は、主にＥＤＰＳ（Electronic Data Processing System）端末、送出制御装置、各バンク（番組バンク、ＣＭバンク、提供バンク）より構成される。ＥＤＰＳ端末は放送局の営業、編成、放送までを一貫して管理する装置であり、送出スケジュール情報（各放送素材の素材コード、送出時刻、送出時間についての情報）を送出制御装置に出力する。送出制御装置は、ＥＤＰＳ端末より送出された送出スケジュール情報に従って、各バンクで管理されている放送素材の送出を制御する装置である。番組バンク、ＣＭバンク、提供バンクは、それぞれ番組本編素材、ＣＭ素材（番宣素材も含む）、提供素材を管理し、送出制御装置の制御により、指定された放送素材を送出する装置である。即ち、放送素材の種別毎に各バンク（番組バンク、ＣＭバンク、提供バンク）で放送素材が管理され、各バンクは、送出制御装置の制御により、指定された放送素材を送出する。なお、提供素材とは、通常、静止画像及び音声とで構成され、番組のスポンサー会社の表示及び音声出力を行う（例えば、「御覧のスポンサーの提供でお送りしました」と音声出力する）ための放送素材である。また、番宣素材とは、番組の内容や放送時刻を宣伝する放送素材であり、前述の通り、通常、ＣＭ素材として扱われる。
【０００３】
次に、従来の一例である放送番組送出装置の構成、動作について、図５を用いて説明する。図５は、従来の一例である放送番組送出装置の構成を示すブロック図である。放送番組送出装置は、番組本編素材、ＣＭ素材、提供素材をそれぞれ番組バンク５０１、ＣＭバンク５０２、提供バンク５０３内のそれぞれのビデオサーバ５０４、５０５、５０６に登録すると共に、ＥＤＰＳ端末５０７より送出された送出スケジュール情報に従って動作する送出制御装置５０８の制御により、各バンク（番組バンク５０１、ＣＭバンク５０２、提供バンク５０３）内のビデオサーバ５０４、５０５、５０６に登録された放送素材を送出する。なお、ビデオサーバ５０４、５０５、５０６に放送素材を登録する際、番組バンク５０１、ＣＭバンク５０２では、番組本編素材、ＣＭ素材が収録されたＶＴＲテープがセットされたＶＴＲ装置５０９、５１０を用いて登録し、提供バンクでは、提供素材を作成するための作画装置５１１から登録する。または、放送局が全国ネット（複数の放送局が提携することで生成された放送局のネットワーク）のローカル局である場合、キー局から各ローカル局への専用回線５１２、５１３により配信された放送素材を、各バンク（番組バンク５０１、ＣＭバンク５０２）内のビデオサーバ５０４、５０５に登録する。なお、前述のキー局とは、放送素材を配信する放送局（例えば、首都圏の放送局）であり、前述のローカル局とは、キー局から配信された放送素材から自局がオンエアする放送素材を抽出して送出する放送局（例えば、首都圏以外の地方の放送局）である。前述の通り、ＣＭ素材は、専用回線５１３により配信されることがあるため、ＣＭ素材として扱われる番宣素材も、専用回線５１３により配信されることがある。そして、番宣素材を配信する場合、キー局は複数の番宣素材を一括して配信することにより、ローカル局は一括配信された複数の番宣素材の中から自局がオンエアする番宣素材を抽出して送出する。なお、キー局からローカル局への専用回線によって一括配信される複数の番宣素材は、ローカル局で全てオンエアされるとは限らないため、前述の通り、ローカル局がオンエアする番宣素材のみを複数の番宣素材から抽出して送出する。
【０００４】
以下、専用回線５１２、５１３により一括配信された複数の番宣素材からローカル局がオンエアする番宣素材を送出するまでの動作について、図５〜図７を用いて説明する。図６は、専用回線５１２、５１３により一括配信される複数の番宣素材の一例を示す図、図７は、ローカル局がオンエアする番宣素材を送出するまでの一連の動作を示すフローチャートである。なお、オンエアする番宣素材を送出する前に抽出してＣＭバンク５０２内のビデオサーバ５０５に登録するが、この場合、図５の通り、ＣＭバンク５０２内のＶＴＲ装置５１０にセットしたＶＴＲテープに複数の番宣素材を一括収録して（ステップ７０１）からＣＭバンク５０２内のビデオサーバ５０５にオンエアする番宣素材のみを抽出して登録するか、または番組バンク５０１内のビデオサーバ５０４に複数の番宣素材を一括登録してからＣＭバンク５０２内のビデオサーバ５０５にオンエアする番宣素材のみを抽出して登録することとなる。
【０００５】
ＣＭバンク５０２内のＶＴＲ装置５１０にセットされたＶＴＲテープに複数の番宣素材を一括収録して（ステップ７０１）からＣＭバンク５０２内のビデオサーバ５０５にオンエアする番宣素材のみを抽出して登録する場合を例にして説明する。ＣＭバンク５０２内のＶＴＲ装置５０５にセットされたＶＴＲテープに一括収録された複数の番宣素材の中からローカル局がオンエアする番宣素材を見つけ出すために、操作者がＶＴＲ装置５１０を操作することでＶＴＲテープを再生して、目視検尺する（ステップ７０２）。即ち、ＶＴＲテープを再生したときの映像を操作者は見ながらローカル局がオンエアする番宣素材を探し出す。例えば、キー局から図６に示す複数の番宣素材が専用回線５１３によりローカル局に伝送された場合、ＶＴＲテープにはこの複数の番宣素材がそのまま収録されることとなるが、ローカル局がオンエアする番宣素材（例えば、番宣素材Ｂ、番宣素材Ｄ）を、ＶＴＲテープを再生したときの映像を操作者は見ながら探し出す。
【０００６】
オンエアする番宣素材を操作者が見つけたとき、この番宣素材をＣＭバンク５０２内のビデオサーバ５０５に登録するために、操作者はＣＭバンク５０２内のＶＴＲ装置５１０を操作すると、番宣素材がＣＭバンク５０２内のビデオサーバ５０５に登録される（ステップ７０３）。登録後、ＣＭバンク５０２内のビデオサーバ５０５は、どこのアドレスに記憶されたかを示す記憶アドレス情報をＣＭバンク５０２内のデータサーバ５１４に送出する。そして、ＣＭバンク５０２内のデータサーバ５１４では、送出スケジュール情報に基づいて、ＣＭバンク５０２内のビデオサーバ５０５より送出された記憶アドレス情報とＣＭバンク５０２内のビデオサーバ５０５に登録された番宣素材の素材コードとを関連付けて記憶される。
【０００７】
ローカル局がオンエアする番宣素材をＣＭバンク５０２内のビデオサーバ５０５に登録した後、ＣＭバンク５０２内のプレビュー端末５１５による事前プレビューを行う（ステップ７０４）ことにより、即ち、登録された番宣素材の再生画像をＣＭバンク５０２内のプレビュー端末５１５に表示させることにより、ＣＭバンク５０２内のビデオサーバ５０５に登録された番宣素材の内容、画像品質のチェックを行う。操作者が事前プレビューする番宣素材の素材コード（ただし、登録された番宣素材の素材コード）をＣＭバンク５０２内のプレビュー端末５１５に入力すると、ＣＭバンク５０２内のビデオサーバ５０５はこの素材コードの番宣素材の記憶アドレス情報をＣＭバンク５０２内のデータサーバ５１４より取得することにより、この記憶アドレスに登録された番宣素材の再生画像をＣＭバンク５０２内のプレビュー端末５１５に表示させる。プレビュー端末５１５に表示された番宣素材の再生画像を操作者がチェックすることで事前プレビューを行う。
【０００８】
なお、ローカル局がオンエアする番宣素材を全てビデオサーバ５０５に登録すると共に、登録した番宣素材全てのチェックが完了する（ステップ７０５）まで、図７の通り、目視検尺作業（ステップ７０２）、目視検尺作業によって見つけた番宣素材のビデオサーバへの登録作業（ステップ７０３）、登録した番宣素材の事前プレビュー作業（ステップ７０４）を操作者の操作により１素材ずつ行うのを繰り返す。ローカル局がオンエアする全ての番宣素材の事前プレビューを行った後、送出スケジュールに基づいた送出制御装置５０８による番宣素材の送出制御により、ＣＭバンク５０２内のビデオサーバ５０５から番宣素材が送出スケジュールに従って、送出される（ステップ７０６）。
【特許文献１】発見されていない。
【発明の開示】
【発明が解決しようとする課題】
【０００９】
前述の従来の放送番組送出装置では、キー局からローカル局への専用回線によって複数の番宣素材が配信された場合、ローカル局ではオンエアする番宣素材を送出する前に、操作者が配信された複数の番宣素材からローカル局がオンエアする番宣素材をわざわざ選択してからＣＭバンクに登録していたことにより手間がかかるため、番宣素材の登録作業が煩わしいという欠点がある。
【００１０】
そこで本発明では、ローカル局がオンエアする番宣素材を送出する前に、キー局から配信された複数の番宣素材からローカル局がオンエアする番宣素材を自動的に抽出できるようにすることにより、前述の欠点を除去することを目的とする。
【課題を解決するための手段】
【００１１】
本発明は、前述の目的を達成するために、少なくとも複数の番組宣伝素材をビデオサーバに登録し、送出スケジュール情報に基づいて前記登録された複数の番組宣伝素材からオンエアする番組宣伝素材を抽出して送出する放送番組送出装置の番組宣伝素材送出方法において、各番組宣伝素材の素材開始点情報が配信され、前記登録された複数の番組宣伝素材を、前記各番組宣伝素材の素材開始点情報に基づいて検尺し、該検尺で確定した前記各番組宣伝素材の素材開始点と素材長、または前記素材開始点と素材終了点に基づいて前記オンエアする番組宣伝素材を抽出し、該抽出した番組宣伝素材を送出するようにしたものである。
【００１２】
更に詳しくは、前記複数の番組宣伝素材の検尺後、前記送出スケジュール情報に基づく番組宣伝素材を抽出して送出する前に、前記ビデオサーバに接続された事前プレビュー端末から所定の番組宣伝素材に関連する放送素材の事前プレビュー要求があった場合で前記ビデオサーバに前記放送素材が登録されているときのみ前記放送素材の再生画像を前記プレビュー端末に表示し、前記放送素材の登録有無を前記事前プレビュー端末で確認するようにしたものである。
【００１３】
更に詳しくは、前記ビデオサーバに登録された各々の番組宣伝素材がオンエアする番組宣伝素材であるか否かを、前記各々の番組宣伝素材に関する送出スケジュールの有無に基づいて判定し、前記登録された複数の番組宣伝素材を検尺する際、オンエアすると判定した番組宣伝素材の素材開始点に基づいて検尺するようにしたものである。
【発明の効果】
【００１４】
以上説明したように本発明によれば、配信された各番宣素材の素材開始点情報に基づいてビデオサーバに登録された複数の番宣素材を検尺することにより各番宣素材の素材開始点と素材長（または、素材終了点）が自動的に確定し、確定された各番宣素材の素材開始点と素材長（または、素材終了点）に基づいてオンエアする番宣素材を複数の番宣素材から自動的に抽出するようにしたことにより、従来の放送番組送出装置と異なり、オンエアする番宣素材を操作者がわざわざ選択する必要がないため、操作者の労力を軽減することができる。
【００１５】
また、事前プレビューの際、番宣素材だけでなく、番宣素材と関連する放送素材（番組本編素材、提供素材）についても事前プレビューすることにより、事前プレビュー要求した放送素材（番宣素材と関連する放送素材）の再生画像が事前プレビュー端末に表示されるか否かに基づいて、番宣素材と関連する放送素材が登録されているか否かを操作者が判断することができる。
【００１６】
更に、オンエアする番宣素材についてのみ素材開始点と素材長（または素材終了点）を確定する作業のみ行わせるようにしたため、オンエアしない番宣素材の素材開始点と素材長を確定するといった無駄な検尺作業を行わないようにすることができる。
【発明を実施するための最良の形態】
【００１７】
以下、本発明の一実施例である放送番組送出装置について図面を用いて説明する。図１は本実施例の放送番組送出装置の構成を示すブロック図である。従来の放送番組送出装置では、前述の通り、放送素材の種別毎に各バンク（番組バンク、ＣＭバンク、提供バンク）で放送素材が管理されていたのに対して、本実施例の放送番組送出装置では、バンク内のビデオサーバの大容量化、高機能化等により、番組本編素材、ＣＭ素材、提供素材を一括して管理する統合バンク１０１で放送素材が管理されている。その結果、バンク毎にあったビデオサーバが共用化されることにより、本実施例の放送番組送出装置は、従来の放送番組送出装置よりも簡略な構成の装置となる。
【００１８】
本実施例の放送番組送出装置はローカル局の放送番組送出装置に適用した場合であり、ビデオサーバ１０５は、放送素材が番組本編素材、ＣＭ素材である場合、番組本編素材もしくはＣＭ素材が収録されたＶＴＲテープを用いてＶＴＲ装置１０９、１１０から登録する以外に、キー局から専用回線１１３を介して番組本編素材もしくはＣＭ素材が配信されることで登録することも可能である。なお、放送素材が番宣素材である場合も、前述の通り、番宣素材もＣＭ素材として扱われることにより、キー局から専用回線１１３を介して番宣素材が配信されることで登録することも可能である。一方、放送素材が提供素材である場合、提供素材を作成するための作画装置１１１から登録する。そして、登録された放送素材の内、ローカル局がオンエアする放送素材は、ＥＤＰＳ端末１０７より送出された送出スケジュール情報に従って動作する送出制御装置１０８の制御により送出される。
【００１９】
次に、本実施例の放送番組送出装置において、例えば、キー局から配信された複数の番宣素材からローカル局がオンエアする番宣素材を送出するまでの動作について、図１〜図４、図８、図９を用いて説明する。図２は、専用回線によって所定の順序でビデオサーバに配信される複数の番宣素材の一例を示す図、図３は、複数の番宣素材が配信されてからオンエアする番宣素材を送出するまでの動作を示すフローチャート、図４は、本実施例の放送素材送出装置のデータサーバに配信されるフォーマットデータ（配信される各番宣素材の素材コード情報、素材開始点情報、素材長情報に関する情報）を示す図、図８は、ローカル局に配信された各番宣素材がオンエアする番宣素材であるか否かを判定する動作を示すフローチャート、図９は、番宣素材、番組本編素材、提供素材の素材コードの一例を示す図である。
【００２０】
本実施例の放送番組送出装置では、キー局から一括配信された複数の番宣素材をローカル局の統合バンク１０１内のビデオサーバ１０５に登録するに際し、即ち、専用回線１１３により配信された複数の番宣素材をビデオサーバ１０５に登録するに際し、まず、複数の番宣素材に関する情報として、キー局からローカル局に配信される、図４（ａ）に示す各番宣素材の素材名情報、素材コード情報、素材開始点情報、素材長情報などのフォーマットデータを、ローカル局のデータサーバに登録する（ステップ３０１）。ここで、配信されるフォーマットデータは、例えば、全国ネットにより互いに提携した放送局同士のネットワーク回線１１６（以下、ＬＡＮ回線１１６と称する）を介して、キー局からローカル局に配信される。例えば、図２に示す４つの番宣素材（番宣素材Ａ、番宣素材Ｂ、番宣素材Ｃ、番宣素材Ｄ）を配信してビデオサーバ１０５に登録する場合、番宣素材Ａ、番宣素材Ｂ、番宣素材Ｃ、番宣素材Ｄの素材名情報、素材コード情報、素材開始点情報、素材長情報などのフォーマットデータが、ＬＡＮ回線１１６を介してキー局からローカル局へ配信されることにより、このフォーマットデータはデータサーバ１１４に登録される。
【００２１】
フォーマットデータの配信とは別に、専用回線１１３を介してキー局からローカル局へ複数の番宣素材が配信されることにより、複数の番宣素材が一括してビデオサーバ１０５に登録される（ステップ３０２）と共に、登録された複数の番宣素材の記憶場所情報（以下、番宣素材記憶アドレス情報と称する）をデータサーバ１１４に送出することで、番宣素材記憶アドレス情報がデータサーバ１１４に登録される。例えば、図２に示す４つの番宣素材（番宣素材Ａ、番宣素材Ｂ、番宣素材Ｃ、番宣素材Ｄ）がキー局からローカル局へ配信される場合、４つの番宣素材がビデオサーバ１０５に登録されると共に、登録された４つの番宣素材の記憶場所情報である番宣素材記憶アドレス情報をデータサーバ１１４に送出することで、番宣素材記憶アドレス情報がデータサーバ１１４に登録される。なお、本実施例の放送番組送出装置では、フォーマットデータが配信された後、複数の番宣素材が配信されるが、これに限定されるものではない。逆に、複数の番宣素材が配信された後、フォーマットデータが配信されるようにしても良い。また、複数の番宣素材にフォーマットデータを重畳して配信するようにしても良い。
【００２２】
複数の番宣素材がビデオサーバ１０５に登録されると共に、フォーマットデータがデータサーバ１１４に登録された後、このフォーマットデータに基づいて、ビデオサーバ１０５に登録された複数の番宣素材の検尺を実行する（ステップ３０３）。例えば、図２に示す４つの番宣素材（番宣素材Ａ、番宣素材Ｂ、番宣素材Ｃ、番宣素材Ｄ）がビデオサーバ１０５に登録されると共に、この４つの番宣素材のフォーマットデータがデータサーバ１１４に登録された後、送出スケジュール情報に基づいて各番宣素材を送出できるようにするために、ビデオサーバ１０５に登録された４つの番宣素材を各番宣素材に分割する検尺作業を行う。具体的には、フォーマットデータとしてデータサーバ１１４に登録されている番宣素材Ａ、番宣素材Ｂ、番宣素材Ｃ、番宣素材Ｄの素材開始点情報に基づいて、ビデオサーバ１１４に登録されている番宣素材Ａ、番宣素材Ｂ、番宣素材Ｃ、番宣素材Ｄの素材開始点、素材長（または、素材終了点）を確定するための作業である。
【００２３】
なお、ビデオサーバ１０５に登録された複数の番宣素材の検尺を行う前に、各番宣素材がオンエアする番宣素材であるか否かを判定し、判定後、オンエアする番宣素材（例えば、番宣素材Ｂ、番宣素材Ｄ）の素材開始点情報に基づいて、即ち、ビデオサーバ１１４に登録されている番宣素材Ａ、番宣素材Ｂ、番宣素材Ｃ、番宣素材Ｄの内、オンエアする番宣素材である番宣素材Ｂ、番宣素材Ｄの素材開始点情報に基づいて、番宣素材Ｂ、番宣素材Ｄの素材開始点、素材長（または、素材終了点）を確定するための作業を行うようにしても良い。オンエアする番宣素材であるか否かの判定は、各番宣素材の素材コードと同一の素材コードを有する番宣素材の送出開始時刻情報、送出時間情報、放送素材内容情報が送出スケジュール情報としてデータサーバ１１４に登録されているか否かを検知することにより行う。例えば、図２に示す４つの番宣素材（番宣素材Ａ、番宣素材Ｂ、番宣素材Ｃ、番宣素材Ｄ）の場合、番宣素材Ａ、番宣素材Ｂ、番宣素材Ｃ、番宣素材Ｄの各素材コードと同一の素材コードを有する番宣素材の送出開始時刻情報、送出時間情報、放送素材内容情報が送出スケジュール情報としてデータサーバ１１４に登録されているか否かを検知することにより行う。この検知作業は、図８の通り、例えば、番宣素材Ａ、番宣素材Ｂ、番宣素材Ｃ、番宣素材Ｄの順番で、１つずつ行い、送出スケジュール情報としてデータサーバ１１４に登録されているのを検知したとき、この番宣素材のオンエア番宣フラグを１とし、逆に、送出スケジュール情報としてデータサーバ１１４に登録されていないのを検知したとき、オンエア番宣フラグを０とする。なお、オンエア番宣フラグは、各番宣素材の素材コードと関連付けられフォーマットデータとして登録される。例えば、番宣素材Ｂと番宣素材Ｄがオンエアする番宣素材で、番宣素材Ａと番宣素材Ｃがオンエアしない番宣素材である場合、番線素材Ｂ、番宣素材Ｄのオンエア番宣フラグを１とし、番宣素材Ａ、番宣素材Ｃのオンエア番宣フラグを０とし、更に、各番宣素材の素材コードと関連付けてオンエア番宣フラグをフォーマットデータとして登録する。その結果、フォーマットデータは図４（ａ）から図４（ｂ）に更新される。フォーマットデータの更新後、前述の通り、オンエアする番宣素材の素材開始点情報に基づいて、即ち、オンエア番宣フラグが１となった番宣素材Ｂ、番宣素材Ｄの素材開始点情報に基づいて、検尺作業を行う（ステップ３０３´）。
【００２４】
検尺作業を行った後、オンエアする番宣素材の事前プレビューを行う（ステップ３０４）ことにより、即ち、登録された複数の番宣素材の内、オンエアする番宣素材の再生画像を統合バンク１０１内のプレビュー端末１１５に表示させることにより、オンエアする番宣素材の内容、画像品質のチェックを行う。なお、事前プレビューは、操作者がプレビュー端末１１５を操作することでデータサーバ１１４から取得した送出スケジュール情報をプレビュー端末１１５に表示させた後、操作者が事前プレビューする番宣素材の素材コードをプレビュー端末１１５に入力することにより、入力した素材コードの番宣素材の再生画像をプレビュー端末に表示させることで行われる。操作者が事前プレビューする番宣素材の素材コードをプレビュー端末１１５に入力すると、ビデオサーバ１０５が、前述の検尺作業で確定した各番宣素材の素材開始点情報、素材長情報（または、素材終了点情報）、前述の番宣素材記憶アドレス情報に基づき、ビデオサーバ１０５の番宣素材記憶アドレスに記憶されたデータ（複数の番宣素材）から、事前プレビュー要求のあった番宣素材の素材開始点から素材終了点までのデータ（事前プレビュー要求のあった番宣素材）を抽出し、抽出したデータ（事前プレビュー要求のあった番宣素材）をプレビュー端末１１５に再生させる。その結果、事前プレビュー要求のあった番宣素材の再生画像がプレビュー端末１１５に表示される。事前プレビューは、オンエアする番宣素材の素材数だけ行う。例えば、図２に示す４つの番宣素材（番宣素材Ａ、番宣素材Ｂ、番宣素材Ｃ、番宣素材Ｄ）の内、オンエアする番宣素材（送出スケジュール情報として、素材コード、送出開始時刻情報、送出時間情報、放送素材内容情報がデータサーバ１１４に登録されている番宣素材）は番宣素材Ｂと番宣素材Ｄであるとき、事前プレビューを２回行う（ステップ３０９）。
【００２５】
また、各番宣素材の事前プレビューを行う以外にも、各番宣素材で宣伝される番組の本編素材（番組本編素材）の素材コード、もしくは各番宣素材で宣伝される番組の提供素材の素材コードをプレビュー端末１１５に入力しても良い。この番組本編素材もしくは提供素材の素材コードを入力する（ステップ３０５）と、ビデオサーバ１０５に番組本編素材もしくは提供素材が登録されている（ステップ３０６）のであるならば、データサーバ１１４から取得した番組本編素材もしくは提供素材の記憶場所を示す記憶アドレス情報に基づき、記憶アドレスに記憶されたデータ（事前プレビュー要求をした番組本編素材、提供素材）を抽出することにより、抽出した番組本編素材もしくは提供素材をプレビュー端末１１５に再生させる。その結果、抽出した番組本編素材もしくは提供素材の再生画像がプレビュー端末１１５に表示される（ステップ３０７）ため、事前プレビュー要求をした番組本編素材、提供素材（番宣素材と関連のある放送素材）は、既に登録済であることが確認できる。逆に、事前プレビュー要求をした番組本編素材もしくは提供素材（番宣素材と関連のある放送素材）がビデオサーバ１０５に登録されていない場合（ステップ３０６）、番組本編素材もしくは提供素材の記憶場所を示す記憶アドレス情報をデータサーバ１１４から取得することができないため、ビデオサーバ１０５は、事前プレビュー要求をした番組本編素材もしくは提供素材（番宣素材と関連のある放送素材）を登録されてない旨の情報をプレビュー端末１１５に表示させる。その結果、プレビュー端末１１５には事前プレビュー要求をした番組本編素材もしくは提供素材（番宣素材と関連のある放送素材）が未登録である旨の表示が行われる（ステップ３０８）。従って、事前プレビューでは、オンエアする番宣素材と関連する放送素材の登録の有無を、再生画像が表示されるか、それとも未登録である旨の表示がされるかで、確認することができる。なお、番宣素材、番組本編素材、提供素材の素材コードは、例えば、図９の通り、番組名、素材種別、送出順序（ただし、番組本編素材のみ）に従って、規定されている。
【００２６】
事前プレビューを行った（ステップ３０６〜ステップ３０９）後、送出スケジュール情報に基づいた送出制御装置１０８による番宣素材の送出制御により、オンエアする番宣素材を送出する（ステップ３１０）。具体的には、送出制御装置１０８に登録された送出スケジュール情報に基づいてビデオサーバ１０５を制御することにより、前述の検尺作業で確定した各番宣素材の素材開始点情報、素材長情報（または、素材終了点情報）、前述の番宣素材記憶アドレス情報に基づき、ビデオサーバ１０５の番宣素材記憶アドレスに記憶されたデータ（複数の番宣素材）の内、オンエアする番宣素材の素材開始点から素材終了点までのデータ（オンエアする番宣素材）を、オンエア時刻に送出する。例えば、図２に示す番宣素材Ｂの送出時刻となったとき、ビデオサーバ１０５の番宣素材記憶アドレスに記憶されたデータの内、番宣素材Ｂの素材開始点から素材終了点までのデータを、オンエア時刻に送出する。
【００２７】
以上のように、本実施例の放送番組送出装置では、事前プレビュー作業を除いて、キー局から配信された複数の番宣素材からローカル局がオンエアする番宣素材を送出スケジュール情報に基づいて送出するまでの動作を自動化することができる。即ち、配信された複数の番宣素材が統合バンク１０１内のビデオサーバ１０５へ登録すること、登録された複数の番宣素材を検尺すること、検尺結果（各番宣素材の素材開始点情報、素材長情報または素材終了点情報）を用いてオンエアする番宣素材を複数の番宣素材から抽出して送出することを、自動的に行うことができる。その結果、操作者の労力を軽減することができる。
【図面の簡単な説明】
【００２８】
【図１】本発明の一実施例である放送素材送出装置の構成を示すブロック図。
【図２】本発明の一実施例である放送素材送出装置において、専用回線によって所定の順序でビデオサーバに配信される複数の番宣素材の一例を示す図。
【図３】本発明の一実施例である放送素材送出装置において、キー局からローカル局に複数の番宣素材が配信されてからローカル局がオンエアする番宣素材を送出するまでの動作を示すフローチャート。
【図４】本発明の一実施例である放送素材送出装置において、ビデオサーバに配信される各番宣素材に関する情報、各番宣素材の送出順序に関する情報を示す図。
【図５】従来の一例である放送素材送出装置の構成を示すブロック図。
【図６】従来の一例である放送素材送出装置において、専用回線によって所定の順序で一括配信される複数の番宣素材の一例を示すブロック図。
【図７】従来の一例である放送素材送出装置において、キー局からローカル局に複数の番宣素材が配信されてからローカル局がオンエアする番宣素材を送出するまでの動作を示すフローチャート。
【図８】本発明の一実施例である放送素材送出装置において、ローカル局に配信された各番宣素材がオンエアする番宣素材であるか否かを判定する動作を示すフローチャート。
【図９】本発明の一実施例である放送素材送出装置において、番宣素材、番組本編素材、提供素材の素材コードの一例を示す図。
【符号の説明】
【００２９】
１０１：統合バンク               １０５：ビデオサーバ
１０７：ＥＤＰＳ端末             １０８：送出制御装置
１０９、１１０：ＶＴＲ装置       １１１：作画装置
１１３：専用回線                 １１４：データサーバ
１１５：プレビュー端末           １１６：フォーマットデータ
３０１〜３１０、３０３´：フローチャートのステップ
５０１：番組バンク               ５０２：ＣＭバンク
５０３：提供バンク               ５０４〜５０６：ビデオサーバ
５０７：ＥＤＰＳ端末             ５０８：送出制御装置
５０９、５１０：ＶＴＲ装置       ５１１：作画装置
５１２、５１３：専用回線
７０１〜７０６：フローチャートのステップ
【図１】
2007124069.tif 000003
【図２】
2007124069.tif 000004
【図３】
2007124069.tif 000005
【図４】
2007124069.tif 000006
【図５】
2007124069.tif 000007
【図６】
2007124069.tif 000008
【図７】
2007124069.tif 000009
【図８】
2007124069.tif 000010
【図９】
2007124069.tif 000011